(57)【特許請求の範囲】
【請求項１】
口部及び胴壁部を備えた有底筒状のボトル容器と、該ボトル容器の口部から、ボトル容器内に延出している塗布軸を備えたキャップとを具備する塗布具付容器において、ボトル容器の口部外周面に球状膨出部を形成し、該球状膨出部にキャップの内壁をボールジョイント状に連結させ、キャップを挿着したまま、ボトル容器に対してキャップを揺動可能としたことを特徴とする塗布具付容器。
【請求項２】
ボトル容器の口部に嵌入するしごき部材の天面を、口部端面より上方に突出した凸円弧面状に形成し、キャップの内部に装着するパッキンのしごき部材と当接する面を、しごき部材の天面と表面曲率を同じくする凹円弧面状に形成することにより、キャップとボトル容器との気密性を保持しながらキャップを揺動可能としたことを特徴とする請求項１記載の塗布具付容器。
【請求項３】
キャップ開口端近傍の内壁面に内方に向って突出するリブを形成し、ボトル容器にキャップを挿着した際に、該リブが球状膨出部を抱え込むように係合することによって、前記キャップ内部に装着したパッキンの凹円弧面が、しごき部材の凸円弧面に密着し、ボトル容器内部を気密するようにしたことを特徴とする請求項２記載の塗布具付容器。
【請求項４】
キャップの外周に、キャップに対しスライド自在な筒状のスライドキャップを挿着し、キャップをボトル容器に挿着した後、該スライドキャップをボトル容器側へスライドさせボトル容器の肩部に当接させることで、キャップの揺動を抑止するようにしたことを特徴とする請求項２又は３記載の塗布具付容器。
【請求項５】
キャップの側壁下端から上方へ向って複数のスリット溝を形成すると共に、側壁下端近傍の外面に外方へ向って突出する外側係合リブを形成し、前記スライドキャップをボトル容器側にスライドさせた際に、該スライドキャップの内壁面が該外側係合リブと当接し、キャップの側壁が球状棒出部側へ押圧されることにより、キャップ開口端近傍の内壁面から突出するリブが球状膨出部を抱え込み、パッキンの凹円弧面をしごき部材の凸円弧面に密着させることで、ボトル容器内部の気密を高めるようにしたことを特徴とする請求項４記載の塗布具付容器。
【請求項６】
ボトル容器の口部開口端に凸円弧面を設け、キャップの内部に前記ボトル容器の口部の円弧面と同一の表面曲率からなる凹円弧面を有するパッキンを挿着し、ボトル容器の口部とパッキンとの密着により、キャップの揺動に関わらずボトル容器内を気密に保持するようにしたことを特徴とする請求項１記載の塗布具付容器。
【請求項７】
キャップ開口端近傍の内壁面に、内方に向って突出する２つのリブを間隔を存して上下に配置し、該２つのリブ間に前記球状膨出部を係合させて、キャップをボトル容器に対して揺動可能としたことを特徴とする請求項３乃至５のいずれかに記載の塗布具付容器。
【請求項８】
キャップの内壁面に形成されたリブ又は外壁面に形成された外側係合リブが、キャップの内壁面又は外壁面を周囲する少なくとも１本の環状の突条からなることを特徴とする請求項５記載の塗布具付容器。
【請求項９】
キャップの内壁面に形成されたリブ又は外壁面に形成された外側係合リブが、複数の突条からなることを特徴とする請求項５記載の塗布具付容器。
【請求項１０】
凹円弧面、凸円弧面及び球状膨出部の表面を同心球面上に配置し、キャップの揺動をスムーズにしたことを特徴とする請求項２乃至９のいずれかに記載の塗布具付容器。
【発明の詳細な説明】
【技術分野】
【０００１】
この発明は、塗布具付容器、特に高粘度で流動性の少ない液体を内容物とする塗布具付容器において、キャップを閉めた状態で、キャップをボトル容器に対し揺動させることで、ボトル容器内の残存内容物を塗布具に付着させることで、残存量を減少させるようにした塗布具付容器に関する。
【背景技術】
【０００２】
従来、マスカラやグロスといった高粘度で流動性の少ない化粧料等の液体を充填する容器には、高粘度の内容物を取り出してそのまま所望箇所に塗布することが出来るように、キャップに棒状の塗布具を備えた、いわゆる塗布具付容器が用いられている。該塗布具付容器は、使用するにしたがって内容物が減り、液面が低下しても、高粘度の液体は流動性が少ないために、容器内壁面に付着したままとなり、前記棒状の塗布具に付着させることが出来ず、多くの内容物を残存させたまま廃棄しなければならないという欠点があった。
【０００３】
そこで、残存する内容物を減少させるようにするために、例えば特開２００１−３２７３２７号公報（特許文献１）には、口部及び胴壁部を備えた有底筒状の容器本体と、容器本体内に延び出している塗布具を備えたキャップとを具備した塗布具付容器において、ボトル容器の少なくとも一部を弾性変形可能に形成し、容器本体を弾性変形させることで、容器本体内で塗布具の可動領域を設け、残存内容物を塗布具に付着させる構造が開示されている。かかる構造にあっては、残存内容物を減少させることは可能であるが、ボトル容器に弾性変形部を形成するため、美麗な外観を呈することが出来ないと共に、該弾性変形部の疲労によっては該変形部が破損し内容物が漏出してしまうという問題を存している。
【０００４】
又、特開平４−２２３０２号公報（特許文献２）には、ボトル容器に差し込むブラシをボトルの中心より偏心させることで、ブラシをボトル容器に対し回転させた時、ボトル容器の周壁に付着する残存内容物をブラシに付着させることが出来る構造が開示されている。しかしながら、この構造にあっては、ボトル容器の内壁面にそってブラシを移動させることが出来るようにするために、キャップの取り付け構造が複雑になると共に部品点数が多くなるという欠点がある。
【０００５】
【特許文献１】特開２００１−３２７３２７号公報
【特許文献２】特開平０４−０２２３０２号公報
【発明の開示】
【発明が解決しようとする課題】
【０００６】
この発明が解決しようとする課題は、高粘度で流動性の少ない液体を内容物とする塗布具付容器において、ボトル容器にキャップを挿着し、内部を気密にした状態で、キャップをボトル容器に対し揺動させることで、キャップに嵌着された塗布具をボトル容器内で可動させ、ボトル容器内壁に残存する内容物を塗布具に付着させて、残存内容物を減少させるようにする塗布具付容器を提供せんとするものである。
【課題を解決するための手段】
【０００７】
課題を解決するためにこの発明が採った手段は、口部及び胴壁部を備えた有底筒状のボトル容器と、該ボトル容器の口部から、ボトル容器内に延出している塗布軸を備えたキャップとを具備する塗布具付容器において、ボトル容器の口部外周面に球状膨出部を形成し、該球状膨出部にキャップの内壁をボールジョイント状に連結させ、キャップを挿着したまま、ボトル容器に対してキャップを揺動可能としたことを特徴とする。
【０００８】
又、ボトル容器の口部に嵌入するしごき部材の天面を、口部端面より上方に突出した凸円弧面状に形成し、キャップの内部に装着するパッキンのしごき部材と当接する面を、しごき部材の天面と表面曲率を同じくする凹円弧面状に形成することにより、キャップとボトル容器との気密性を保持しながらキャップを揺動可能としたことを特徴とする。
【０００９】
更に、キャップ開口端近傍の内壁面に内方に向って突出するリブを形成し、ボトル容器にキャップを挿着した際に、該リブが球状膨出部を抱え込むように係合することによって、前記キャップ内部に装着したパッキンの凹円弧面が、しごき部材の凸円弧面に密着し、ボトル容器内部を気密するようにしたことを特徴とする。
【００１０】
更に、キャップの外周に、キャップに対しスライド自在な筒状のスライドキャップを挿着し、キャップをボトル容器に挿着した後、該スライドキャップをボトル容器側へスライドさせボトル容器の肩部に当接させることで、キャップの揺動を抑止するようにしたことを特徴とする。
【００１１】
キャップの側壁下端から上方へ向って複数のスリット溝を形成すると共に、側壁下端近傍の外面に外方へ向って突出する外側係合リブを形成し、前記スライドキャップをボトル容器側にスライドさせた際に、該スライドキャップの内壁面が該外側係合リブと当接し、キャップの側壁が球状棒出部側へ押圧されることにより、キャップ開口端近傍の内壁面から突出するリブが球状膨出部を抱え込み、パッキンの凹円弧面をしごき部材の凸円弧面に密着させることで、ボトル容器内部の気密を高めるようにしたことを特徴とする。
【００１２】
更に、ボトル容器の口部開口端に凸円弧面を設け、キャップの内部に前記ボトル容器の口部の円弧面と同一の表面曲率からなる凹円弧面を有するパッキンを挿着し、ボトル容器の口部とパッキンとの密着により、キャップの揺動に関わらずボトル容器内を気密に保持するようにしたことを特徴とする。
【００１３】
更に、キャップ開口端近傍の内壁面に、内方に向って突出する２つのリブを間隔を存して上下に配置し、該２つのリブ間に前記球状膨出部を係合させて、キャップをボトル容器に対して揺動可能としたことを特徴とする。
【００１４】
更に、キャップの内壁面に形成されたリブ又は外壁面に形成された外側係合リブが、キャップの内壁面又は外壁面を周囲する少なくとも１本の環状の突条からなることを特徴とする。
【００１５】
更に、凹円弧面、凸円弧面及び球状膨出部の表面を同心球面上に配置し、キャップの揺動をスムーズにしたことを特徴とする。
【発明の効果】
【００１６】
本発明によれば、口部及び胴壁部を備えた有底筒状のボトル容器と、該ボトル容器内に延び出した塗布具を嵌着したキャップとを具備した塗布具付容器において、ボトル容器とキャップとの挿着部を、ボールジョイント形状とすることで、キャップを挿着し内部を密封した状態で、ボトル容器に対しキャップを揺動させることが出来、これによりボトル容器内底部において、塗布具の可動領域が広範囲となり、ボトル容器内壁面に付着した高粘度で流動性の少ない内容物を、効率よく塗布具に付着させることが出来、残存する内容物を減少させることが可能となる。
【発明を実施するための最良の形態】
【００１７】
この発明の好ましい実施の形態を以下に詳細に説明する。この発明は、口部及び胴壁部を備えた有底筒状のボトル容器と、該ボトル容器の口部から、ボトル容器内に延出している塗布軸を備えたキャップとを具備する塗布具付容器において、ボトル容器の口部外周面に球状膨出部を形成し、該球状膨出部にキャップの内壁をボールジョイント状に連結させ、キャップを挿着したまま、ボトル容器に対してキャップを揺動可能とすることで、キャップを挿着したまま、ボトル容器に対して塗布具の可動領域を大きくし、ボトル容器の内底部に塗布具が当接出来るようにしたことを特徴とする。
【００１８】
ボトル容器とキャップとの連結を構成するボールジョイント構造については、キャップ開口端近傍の内壁面に、内方に向って突出する２つのリブを間隔を存して配置し、該２つのリブ間に前記球状膨出部を係合させるようにする。該２つのリブは、少なくとも一方のリブは、キャップ内壁面を周囲する１本の環状の突条からなり、他方のリブは、複数の突条からなるように形成されているが、特にこれに限定されず、２つのリブが共にキャップ内壁面を周囲する環状のリブであってもよく、又、２つのリブが共に複数の突条からなるようになっていてもよい。更に、ボトル容器の口部開口端に円弧面を設け、キャップの内部に前記ボトル容器の口部の円弧面に倣って密着する円弧状で且環状のパッキンを挿着し、ボトル容器の口部とパッキンとの密着により、キャップの揺動に関わらずボトル容器内を気密に保持するのが好ましい。
【００１９】
又、ボトル容器とキャップとの連結を構成するボールジョイント構造については、キャップ開口端近傍の内壁面に、内方に向って突出するリブを形成して前記球状膨出部の下面側に係合させるようにする。又、ボトル容器の口部開口端に装着するしごき部材の上面に円弧面を設けると共に、キャップに備えた塗布具の根元に、前記しごき部材の円弧面に倣って密着する凹円弧面を形成することで、リブと球状膨出部及び凹円弧面、並びに凸円弧面とからなるボールジョイント状態として連結することで、キャップの揺動に関わらずボトル容器内を気密に保持するようにしてもよい。更に、キャップ開口端近傍の外面にもリブを形成すると共に、キャップの外周にスライドキャップを挿着し、該スライドキャップのスライド状態に応じて、キャップ外面に形成したリブを押さえ込むようにし、よりキャップがボトル容器に密着するようにしてもよい。
【実施例１】
【００２０】
図１を参照して、(１)は塗布具付容器であり、口部にしごき部材(５)を挿着したボトル容器(２)と、塗布軸(４)を連結したキャップ(３)とからなる。ボトル容器(２)の口部近傍には、球状膨出部(2a)が形成されており、又、この口部に挿着されたしごき部材(５)の上端は円弧面(5a)に形成されている。キャップ(３)は一端が開放した円筒形状であり、内部には、先端に塗布具(4a)を備えた塗布軸(４)が嵌着されている。該塗布軸(４)の根元には、断面が円弧状を呈し、且、環状のパッキン(６)が挿着されている。キャップ開口端近傍の内壁には、円周状の下リブ(3a)がキャップ内方に向って突出するように形成されており、該下リブ(3a)よりキャップ上方に間隔を存した位置には、キャップ内方に向って突出する上リブ(3b)が複数形成されている（図２参照）。尚、該上リブ(3b)はキャップ内周面に３乃至５個程度形成するのが好ましいが、特にこれに限定されるものではなく、又、下リブ(3a)同様に環状のリブであっても構わない。勿論、下リブ(3a)が複数の突出するリブとして形成してもよい。
【００２１】
ボトル容器(２)とキャップ(３)との連結は、キャップ(３)をボトル容器(２)に挿着した際に、ボトル容器(２)の口部近傍に形成された環状膨出部(2a)を、キャップ(３)の内壁に形成された下リブ(3a)と上リブ(3b)で狭持することでおこなわれる。すなわち、ボトル容器(２)の口部側からキャップ(３)を挿着すると、キャップ(３)内壁に形成された下リブ(3a)が球状膨出部(2a)を乗り越え球状膨出部(2a)の下側球面部に達する。これと同時に、上リブ(3b)は球状膨出部(2a)の上側球面部に当接し、結果、下リブ(3a)と上リブ(3b)間に球状膨出部(2a)が位置した状態となり、球状膨出部(2a)の動きが上下リブ(3a)(3b)間で抑止され、上下リブ(3a)(3b)と球状膨出部(2a)とからなるボールジョイント状態として連結する。
【００２２】
塗布軸(４)の根元に挿着されたパッキン(６)は前述の通りその断面が円弧状を呈している。この円弧面の曲率はしごき部材(５)の上端に形成された円弧面(5a)の曲率と同一であり、且、パッキン(６)の円弧面の幅は、しごき部材(５)の円弧面(5a)の幅よりも長く設定されている。これにより後述の揺動動作によりパッキン(６)が円弧面(5a)上をスライドしても、常に円弧面(5a)にパッキン(６)が面接触するため、ボトル容器(２)にキャップ(３)を挿着している限り如何なる揺動動作をおこなっても、ボトル容器(２)内部を気密にすることが出来るようになっている。
【００２３】
次にボトル容器(２)に挿着した状態での、ボトル容器(２)に対しキャップ(３)を揺動（図示の例にあっては一方に傾動）させる動作について説明する。図３は、矢印方向にキャップ(３)を押し、ボトル容器(２)に対して傾動させた状態を示すものである。キャップ(３)を所望の方向に押すことによって、前述の下リブ(3a)及び上リブ(3b)が、球状膨出部(2a)の表面を当接しつつスライドすることにより、当該部位のボールジョイント構造を支点として、ボトル容器(２)に対してキャップ(３)を傾動させることが出来る。この時、キャップ(３)に嵌着されている塗布軸(４)は、ボトル容器(２)内でキャップの傾動方向とは逆向きに傾動し、キャップ(３)を挿着した状態のまま、塗布具(4a)をボトル容器(２)内壁面に到達させることが出来る。これにより、ボトル容器(２)内壁面に付着している内容物を塗布具(4a)に付着することが出来る。尚、この傾動状態にあっても、前述の通り、しごき部材(５)の円弧面(5a)とパッキン(６)は常に面接触をし続けているため、ボトル容器(２)内の気密は保たれている。
【００２４】
前述のように、ボトル容器(２)とキャップ(３)はボールジョイント状に連結されているため、キャップ(３)の揺動方向には制限がない。すなわち、ボトル容器(２)内壁面に塗布具が接触する角度まで傾斜すると共に、水平方向には３６０度回転することが可能である。これにより、塗布軸(４)はボトル容器(２)内で揺動及び回転することが可能となり、塗布具(4a)はボトル容器(２)下方の内壁面を全周にわたり払拭することが出来る。したがって、高粘度で流動性の少ない内容物を、効率よく塗布具(4a)に付着させることが出来、残存する内容物を減少させることが可能となる。
【実施例２】
【００２５】
図４を参照して、(10)は他の実施形態の塗布具付容器であり、口部にしごき部材(14)を挿着したボトル容器(11)と、塗布軸(13)を連結したキャップ(12)とからなる。ボトル容器(11)の口部近傍には、球状膨出部(11a)が形成されており、又、この口部に挿着されたしごき部材(14)の上端は凸円弧面(14a)に形成されている。キャップ(12)は一端が開放した円筒形状であり、内部には、先端に塗布具(13a)を備えた塗布軸(13)が嵌着されている。該塗布軸(13)の根元は、断面が円弧状を呈する円弧面(13b)が形成されている。キャップ開口端近傍の内壁には、円周状のリブ(12a)がキャップ内方に向って突出するように形成されている。尚、該リブ(12a)は実施例１と同様に、環状に形成したり、内周面に３乃至５個程度形成するなど、特に限定されるものではない。
【００２６】
ボトル容器(11)とキャップ(12)との連結は、キャップ(12)をボトル容器(11)に挿着した際に、ボトル容器(11)の口部近傍に形成された球状膨出部(11a)の下方周面を、キャップ(12)の内壁に形成したリブ(12a)で囲繞することでおこなわれる。すなわち、ボトル容器(11)の口部側からキャップ(12)を挿着すると、キャップ(12)内壁に形成されたリブ(12a)が球状膨出部(11a)を乗り越え球状膨出部(11a)の下側球面部に達し、リブで球状膨出部を抱え込むような状態となる。これと同時に、凹円弧面(13b)が凸円弧面(14a)に引き寄せら、凸円弧面を押圧するように面接触し、リブ(12a)と球状膨出部(11a)及び凹円弧面(13b)、凸円弧面(14a)とからなるボールジョイント状態として連結する。
【００２７】
前記凹円弧面(13b)と、凸円弧面(14a)、並びに球状膨出部(11a)の表面は、同一円周上に位置するように、その曲率が揃えられている。これにより揺動動作により凹円弧面(13b)が凸円弧面(14a)上をスライドしても、キャップ(12)のリブ(12a)が球状膨出部(11)の下面側に常に当接すると共に、凸円弧面(14a)に凹円弧面(13b)が面接触し続けるため、ボトル容器(11)にキャップ(12)を挿着している限り如何なる揺動動作をおこなっても、ボトル内部(11)を気密に保つ出来るようになっている。尚、揺動動作によるボトル(11)と塗布具(13)の位置関係について前述の実施例１と基本的に同じ動作となるため詳細な説明は省略する。
【実施例３】
【００２８】
図５〜８は、塗布具付容器の他の実施例を示すものである。図５は、ボトルとキャップを連結固定した状態、図６はキャップ開口端の概念図、図７はスライドキャップを解放した状態、図８はボトル容器に対しキャップを揺動させた状態を示すものである。図５を参照して、(20)は他の実施例に基づく塗布具付容器であり、口部にしごき部材(25)を挿着したボトル容器(21)と、塗布軸(24)を連結したキャップ(22)とからなる。(23)はキャップ(22)の外周に、スライド自在に挿着された筒状のスライドキャップである。該スライドキャップ(23)は、ボトル(21)とキャップ(22)を連結した状態でボトル(21)側へスライドさせた時、後述のボトル肩部(21b)に当接し、キャップ(22)がボトル(21)に対し揺動するのを抑止するものである。
【００２９】
前記実施例２と同様に、ボトル容器(21)の口部近傍には、球状膨出部(21a)が形成されると共に、上端が凸円弧面(25a)に形成されたしごき部材(25)が挿着されている。キャップ(22)は一端が開放した円筒形状であり、内部には、先端に塗布具(24a)を備えた塗布軸(24)が嵌着されている。該塗布軸(24)の根元は、断面が円弧状を呈し、且、しごき部材(25)の表面曲率と同一の曲率からなる凹円弧面(24b)が形成されている。キャップ(22)開口端近傍の内側面には、内側係合リブ(22a)が形成されており、又、該内側係合リブ(22a)より開口端近傍の外面には、外側係合リブ(22b)が形成されている。尚、該キャップ(22)の開口端付近の構造は、図７に示すような複数のスリットを施した形状とするのが好ましいが、特にこれ限定されるものではない。球状膨出部(21a)の表面曲率、凹円弧面(24b)及び凸円弧面(25a)の曲率は同一であり、キャップ(22)とボトル(21)を連結した時、ボトル(21)に対しキャップ(22)がスムーズに揺動するようになっている。
【００３０】
ボトル容器(21)とキャップ(12)との連結は、キャップ(22)をボトル容器(21)に挿着した際に、ボトル容器(21)の口部近傍に形成された球状膨出部(21a)を、キャップ(22)開口端近傍に形成した内側係合リブ(22a)で狭持することでおこなわれる。すなわち、ボトル容器(21)の口部側からキャップ(22)を挿着すると、内側係合リブ(22a)が球状膨出部(21a)を乗り越え球状膨出部(21a)の下側球面部に達し、ボトル(21)とキャップ(22)が連結状態となり、内側係合リブ(22a)と球状膨出部(21a)及び凹円弧面(24b)、凸円弧面(25a)とからなるボールジョイント状態として連結する。
【００３１】
キャップ(22)の外周に挿着されたスライドキャップ(23)は、ボトル容器(21)とキャップ(22)の揺動動作を抑止するためのものであり、スライドキャップ(23)をボトル容器(21)に挿着した後、ボトル容器(21)側へスライドさせて使用する。スライドによりスライドキャップ(23)がキャップ(22)開口端を囲繞しつつ、内周面に形成した段部(23a)が外側係合リブ(22b)を球状膨出部(21a)側へと押圧する。これに伴い、内側係合リブ(22a)が球状膨出部(21a)の下方へと回り込むように当接が強められ、結果、凹円弧面(24b)が、凸円弧面(25a)へと引き寄せられつつより強固な面接触となり、ボトル容器(21)の気密が更に高められる。又、スライドキャップ(23)の下端部が、ボトル容器(21)の肩部(21b)へ当接することで、キャップ(22)の揺動動作が抑止される。
【００３２】
前記凹円弧面(24b)と凸円弧面(25a)、並びに球状膨出部(21a)の表面は、同一円周上に位置するように、その曲率が揃えられている。これにより、キャップの揺動動作により凹円弧面(24b)が凸円弧面(25a)上をスライドしても、キャップ(22)の内側係合リブ(22a)が球状膨出部(21a)の下面側に常に当接すると共に、凸円弧面(25a)に凹円弧面(24b)が面接触し続けるため、ボトル容器(21)にキャップ(22)を挿着している限り如何なる揺動動作をおこなっても、ボトル容器(21)内を気密に保つことが出来るようになっている。
【００３３】
キャップ(22)をボトル容器(21)に挿着した状態での揺動動作については、基本的に実施例１，２と同様であるが、本実施例については前述の通りスライドキャップ(23)が存在するため、揺動時には開放させる必要がある。スライドキャップ(23)をキャップ(22)側へスライドさせると、キャップ(22)の開口端は球状膨出部(21a)側への押圧から開放される。これによりボトル容器(21)とキャップ(22)は、緩く連結された状態となり、揺動動作が可能となる。以後の揺動操作については実施例１、２と同様にキャップ(22)を所望の方向に押すことによって、内側係合リブ(22a)と球状膨出部(21a)及び凹円弧面(24b)、凸円弧面(25a)とからなるボールジョイント構造を支点として、ボトル容器(21)に対してキャップ(22)を傾動させることが出来る。
【図面の簡単な説明】
【００３４】
【図１】ボトル容器とキャップを連結した状態を示す図
【図２】キャップ内面に形成されたリブの形状を示す図
【図３】ボトル容器に対しキャップを揺動させた状態を示す図
【図４】他の実施例に基づく、ボトルとキャップを連結固定した状態を示す図
【図５】更に他の実施例に基づく、ボトルとキャップを連結固定した状態を示す図
【図６】キャップ開口端の概念図
【図７】スライドキャップを解放した状態を示す図
【図８】ボトル容器に対しキャップを揺動させた状態を示す図
【符号の説明】
【００３５】
１  塗布具付容器
２  ボトル容器
2a  球状膨出部
３  キャップ
3a  下リブ
3b  上リブ
４  塗布軸
4a  塗布具
５  しごき部材
5a  円弧面
６  パッキン
10  塗布具付容器の一変形例
11  ボトル容器
11a  球状膨出部
12  キャップ
12a  リブ
13  塗布軸
13a  塗布具
13b  凹円弧面
14  しごき部材
14a  凸円弧面
20  塗布具付容器の更に他の変形例
21  ボトル容器
21a  球状膨出部
21b  肩部
22  キャップ
22a  内側係合リブ
22b  外側係合リブ
23  スライドキャップ
24  塗布軸
24a  塗布具
24b  凹円弧面
25  しごき部材
25a  凸円弧面 
【図１】
0005336129.tif 000002
【図２】
0005336129.tif 000003
【図３】
0005336129.tif 000004
【図４】
0005336129.tif 000005
【図５】
0005336129.tif 000006
【図６】
0005336129.tif 000007
【図７】
0005336129.tif 000008
【図８】
0005336129.tif 000009